(57)【要約】      （修正有）【課題】陰茎陰嚢それぞれを別個保持収納し日常活動を妨げること無く、常時快適に着用できる着脱容易な下半身下着を提供する。【解決手段】パンツ構造の下半身前中央部分に於いて、臍斜め下で恥骨部端の上左右点１、２から陰茎付け根の下で陰嚢付け根外側横のそけい線内側左右点３、４を経て陰嚢縫線肛門側開始点５につながるＵ字形の経路線部分を身体の線に沿って、臍斜め下で恥骨部端の上左右点１、２から陰茎付け根の下で陰嚢付け根外側横のそけい線内側左右点３、４の範囲内は陰茎を収納する部分として布で覆う。この陰茎収納部分に接続して、陰茎付け根部の下で陰嚢付け根外側横のそけい線内側左右点３、４から陰嚢縫線肛門側開始点５の範囲内は陰嚢を保持収納する飛出部分として布で覆い、陰嚢陰茎を常時分別収納する下半身下着。【選択図】図１
2012158859.tif 000002
【特許請求の範囲】
【請求項１】
男性下半身下着の前中央部分に於いて、臍斜め下で恥骨部端の上左右点（１）（２）から陰茎付け根の下で陰嚢付け根外側横のそけい線内側左右点（３）（４）を経て陰嚢縫線肛門側開始点（５）につながるＵ字形の経路線部分を身体の線に沿って皮膚に接触させ、臍斜め下で恥骨部端の上左右点（１）（２）から陰茎付け根の下で陰嚢付け根外側横のそけい線内側の左右点（３）（４）の範囲内は陰茎を収納する部分として布で覆い、この陰茎収納部分に接続して、陰茎付け根の下で陰嚢付け根外側横のそけい線内側左右点（３）（４）から陰嚢縫線肛門側開始点（５）の範囲内は陰嚢を保持収納する飛出部分として布で覆い、陰茎収納部と陰嚢保持収納部が接続される陰茎付け根の下で陰嚢付け根外側横のそけい線内側左右点（３）（４）をつなぐ部分は、睾丸を含まない状態の陰嚢上部のみを覆う事が可能で睾丸を含んだ状態だったり陰茎が下向きになったりした場合には窮屈な張り具合で覆いきれない張り具合の布で覆っている男性下半身下着。
【発明の詳細な説明】
【技術分野】
【０００１】本発明は、男性の下半身に着用する下着に関するものである。
【背景技術】
【０００２】従来の男性下半身下着には、締込とも言われるふんどし、パンツと一般的に言われるブリーフやトランクス等がある。ふんどしは陰茎陰嚢を一体的に保持し陰部以外は非常に開放的であるが、着脱時の難易さや臀部が見える構造状の恥ずかしさ、陰部以外の吸汗性が無い等の不便がある。一般的にパンツと言われるブリーフやトランクスは、着脱は容易であるが下半身をほぼ一体とした成型のためブリーフには陰茎陰嚢部の収納窮屈さ、トランクスには陰茎陰嚢部不安定収納の為の大腿部や相互の接触不快さ等、それぞれ快適さが損なわれる問題がある。従来の男性下半身下着には、着脱容易で、陰茎と陰嚢をそれぞれ別個に保持収納する事で着用感を向上させるという発想の製品が無かった。
【発明の概要】
【発明が解決しようとする課題】
【０００３】男性性器は陰茎陰嚢ともに体からとびでている臓器であり、日常生活中に萎縮や膨張をする。陰茎は排尿等で下着から出し入れする機会が度々必要となり、陰嚢は出し入れする機会はそうないが精子製造を行う上で体温より低い温度環境が好ましい。本来は陰茎陰嚢それぞれ下腹部と独立した空間を必要としている。従来の下半身下着は、陰茎陰嚢それぞれを別個に収納保持する機能を備えてはおらず、陰茎陰嚢の収まり具合が悪く着用感が不快で生殖性能にも悪影響を与えていた。本発明は、陰茎陰嚢それぞれを別個保持収納し日常活動を妨げること無く、常時快適に着用できる着脱容易な下半身下着を提供する。
【課題を解決するための手段】
【０００４】男性下半身の前中央部分に於いて、臍斜め下で恥骨部端の上左右点（１）（２）から陰茎付け根の下で陰嚢付け根外側横のそけい線内側左右点（３）（４）を経て陰嚢縫線肛門側開始点（５）につながるＵ字形の経路線部分を身体の線に沿って皮膚に接触させ、その範囲内を布で覆った部分を男性下半身下着の中央部分となる下着を製作する。【０００５】臍斜め下で恥骨部端の上左右点（１）（２）から陰茎付け根の下で陰嚢付け根外側横のそけい線内側左右点（３）（４）の範囲内を覆う布は、陰茎を下腹に沿って上向きに収納する部分として製作する。一重の布で覆うか陰茎を排尿時等に出し入れ可能とする開放部を設けた布で覆う。【０００６】この陰茎収納部分に接続して、陰茎付け根の下で陰嚢付け根外側横のそけい線内側左右点（３）（４）、から陰嚢縫線肛門側開始点（５）の範囲内を覆う布は陰嚢を保持しゆとりを持って収納できる空間のある袋状の飛出部分として製作する。【０００７】陰茎収納部と陰嚢保持収納部が接続される陰茎付け根の下で陰嚢付け根外側横のそけい線内側左右点（３）（４）をつなぐ部分は、陰茎と陰嚢を分離する肝心な境界となる為、睾丸を含まない状態の陰嚢上部のみを覆う事が可能で睾丸を含んだ状態だったり陰茎が下向きになったりした場合には窮屈な張り具合で覆いきれない張り具合の布とする。【０００８】この前中央部分に接続して下腹部左右や臀部を必要に応じて布で覆い男性下半身下着とする。これらの事で着脱容易で陰嚢陰茎を常時分別収納する下半身下着となる。
【発明の効果】
【０００９】陰茎は下腹に沿って上向きに収納され、下向きや横向きにならないので位置が安定する。陰嚢も飛出した専用の空間で適時に保持され、開放的で性器性能維持を妨げない。さらに陰茎陰嚢ともに大腿部や相互の接触がなくなる。本発明を実施することで、着脱容易で常時快適な着用感が得られる男性下半身下着となる。
【図面の簡単な説明】
【００１０】
【図１】実施例を下側前面から見た図である。
【図２】実施例を側面から見た図である。
【図３】実施例に用いた生地カット図である
【図４】男性下半身断面図である。
【図５】男性下半身前面図である。
【図６】男性下半身後面図である。
【図７】男性下半身前面斜視図である。
【発明を実施するための形態】
【００１１】男性下半身の前中央部分に於いて、臍斜め下で恥骨部端の上左右点（１）（２）から陰茎付け根の下で陰嚢付け根外側横のそけい線内側左右点（３）（４）を経て陰嚢縫線肛門側開始点（５）につながるＵ字形の経路線部分を身体の線に沿って皮膚に接触させ、その範囲内を布で覆った部分を男性下半身下着の中央部分となる下着を製作する。
【００１２】臍斜め下で恥骨部端の上左右点（１）（２）から陰茎付け根の下で陰嚢付け根外側横のそけい線内側左右点（３）（４）の範囲内を覆う布は、陰茎を下腹に沿って上向きに収納する部分として製作する。一重の布で覆うか陰茎を排尿時等に出し入れ可能とする開放部を設けた布で覆う。
【００１３】この陰茎収納部分に接続して、陰茎付け根の下で陰嚢付け根外側横のそけい線内側左右点（３）（４）、から陰嚢縫線肛門側開始点（５）の範囲内を覆う布は陰嚢を保持しゆとりを持って収納できる空間のある袋状の飛出部分として製作する。
【００１４】陰茎収納部と陰嚢保持収納部が接続される陰茎付け根の下で陰嚢付け根外側横のそけい線内側左右点（３）（４）をつなぐ部分は、陰茎と陰嚢を分離する肝心な境界となる為、睾丸を含まない状態の陰嚢上部のみを覆う事が可能で睾丸を含んだ状態だったり陰茎が下向きになったりした場合には窮屈な張り具合で覆いきれない張り具合の布とする。
【００１５】この前中央部分に接続して下腹部左右や臀部を必要に応じて布で覆い男性下半身下着とする。これらの事で着脱容易で陰嚢陰茎を常時分別収納する下半身下着となる。
【実施例】
【００１６】本発明の実施例を図１から図７に基づき説明する。図３は本発明を実施するにあたり使用する生地の例である。足回り生地（１０）は二枚対象で使用し、一枚は右下腹部と右臀部、一枚は左下腹部と左臀部の収納部位覆い布となる。
陰嚢は表面を覆う布（８）と側面で保持する布（９）とで覆い収納される。陰茎はその生地に接続した布（７）で覆い収納される。【００１７】足回り生地（１０）をそれぞれ円筒状にする。下半身前面になる部分には性器部生地（７）（８）（９）を縫合し、下半身後面部分は足回り円筒状生地双方を縫合する。胴回り部分にゴムベルトを縫製したら完成する。図１、図２、が本発明実施例を各方向から見た図である。
【符号の説明】
【００１８】１    臍斜め下で恥骨部端の上右点
２    臍斜め下で恥骨部端の上左点
３    陰茎付け根の下で陰嚢付け根外側横のそけい線内側右点
４    陰茎付け根の下で陰嚢付け根外側横のそけい線内側左点
５    陰嚢縫線肛門側開始点
６    肛門
７    陰茎を覆う生地
８    陰嚢表面を覆う生地
９    陰嚢を側面から保持する生地
１０  足回り生地
１１  右足回り、右下腹部と右臀部収納部
１２  左足回り、左下腹部と左右臀部収納部
【図１】
2012158859.tif 000003
【図２】
2012158859.tif 000004
【図３】
2012158859.tif 000005
【図４】
2012158859.tif 000006
【図５】
2012158859.tif 000007
【図６】
2012158859.tif 000008
【図７】
2012158859.tif 000009